(57)【要約】【課題】低コスト化でき、汎用性を向上することができる回転コネクタを提供する。【解決手段】円筒状の固定ケース３と、この固定ケース３に対して相対回転可能に配置された円筒状の回転ケース５と、固定ケース３と回転ケース５との径方向間に形成されたケーブル収容室７内に巻回されて収容された可撓性のケーブルと、固定ケース３と回転ケース５との相対回転を規制するロック部材９とを備えた回転コネクタ１において、ロック部材９を、棒状に形成し、固定ケース３と回転ケース５に、ロック部材９が挿通されて配置されるロック孔部１１，１３をそれぞれ設け、固定ケース３に、ロック部材９のロック孔部１１，１３への挿通によりロック部材９を変形させ、ロック部材９をロック孔部１１，１３から抜け止めさせる変形部１５を設けた。【選択図】図３
2014017078.tif 000002
【特許請求の範囲】
【請求項１】
円筒状の固定ケースと、この固定ケースに対して相対回転可能に配置された円筒状の回転ケースと、前記固定ケースと前記回転ケースとの径方向間に形成されたケーブル収容室内に巻回されて収容された可撓性のケーブルと、前記固定ケースと前記回転ケースとの相対回転を規制するロック部材とを備えた回転コネクタであって、
前記ロック部材は、棒状に形成され、前記固定ケースと前記回転ケースには、前記ロック部材が挿通されて配置されるロック孔部がそれぞれ設けられ、
前記固定ケースと前記回転ケースとのうちいずれか一方には、前記ロック部材の前記ロック孔部への挿通により前記ロック部材を変形させ、前記ロック部材を前記ロック孔部から抜け止めさせる変形部が設けられていることを特徴とする回転コネクタ。
【請求項２】
請求項１記載の回転コネクタであって、
前記変形部は、前記ロック孔部の下端に突設された突起部であることを特徴とする回転コネクタ。
【請求項３】
請求項１又は２記載の回転コネクタであって、
前記変形部は、前記回転ケースの回転軸線に向かう方向又は回転軸線から放射方向に前記ロック部材を変形させることを特徴とする回転コネクタ。
【発明の詳細な説明】
【技術分野】
【０００１】
本発明は、車両に適用される回転コネクタに関する。
【背景技術】
【０００２】
従来、回転コネクタとしては、円筒状の固定ケースと、この固定ケースに対して相対回転可能に配置された円筒状の回転ケースと、固定ケースと回転ケースとの径方向間に形成されたケーブル収容室としての環状の空間内に巻回されて収容された可撓性のケーブルと、固定ケースと回転ケースとの相対回転を規制するロック部材としての規制部材とを備えたものが知られている（例えば、特許文献１参照）。
【０００３】
この回転コネクタでは、回転コネクタを車両に取り付けるまでの搬送時などに、規制部材によって固定ケースと回転ケースとが相対回転することを規制している。
【０００４】
このような規制部材は、固定ケースの挿通部に挿通される挿通片と、挿通部に設けられた係合部と係合するロック部が設けられた固定片と、挿通部に挿通片を挿通したときに回転ケースに設けられた係止部と係合する第１の規制部と、挿通部に固定片を装着したときに係止部と係合する第２の規制部とを備えている。
【先行技術文献】
【特許文献】
【０００５】
【特許文献１】特開２００５−３２７５７５号公報
【発明の概要】
【発明が解決しようとする課題】
【０００６】
しかしながら、上記特許文献１のような回転コネクタでは、ロック部材が挿通部と固定片と第１の規制部と第２の規制部などのように複雑な構造であるので、ロック部材が高コスト化していた。加えて、ロック部材によって相対回転が規制される固定ケースと回転ケースの構造も複雑となり、回転コネクタが高コスト化していた。
【０００７】
また、ロック部材は、その複雑な構造から決められた固定ケースと回転ケースにのみ組付けられるので、汎用性が低下していた。
【０００８】
そこで、この発明は、低コスト化でき、汎用性を向上することができる回転コネクタの提供を目的としている。
【課題を解決するための手段】
【０００９】
請求項１記載の発明は、円筒状の固定ケースと、この固定ケースに対して相対回転可能に配置された円筒状の回転ケースと、前記固定ケースと前記回転ケースとの径方向間に形成されたケーブル収容室内に巻回されて収容された可撓性のケーブルと、前記固定ケースと前記回転ケースとの相対回転を規制するロック部材とを備えた回転コネクタであって、前記ロック部材は、棒状に形成され、前記固定ケースと前記回転ケースには、前記ロック部材が挿通されて配置されるロック孔部がそれぞれ設けられ、前記固定ケースと前記回転ケースとのうちいずれか一方には、前記ロック部材の前記ロック孔部への挿通により前記ロック部材を変形させ、前記ロック部材を前記ロック孔部から抜け止めさせる変形部が設けられていることを特徴とする。
【００１０】
この回転コネクタでは、ロック部材が棒状に形成され、固定ケースと回転ケースにロック部材が挿通されて配置されるロック孔部がそれぞれ設けられているので、ロック部材と固定ケース及び回転ケースとを簡易な構造とすることができ、低コスト化することができる。加えて、ロック部材の形状は、簡易化されているので、汎用性を向上することができる。
【００１１】
また、固定ケースと回転ケースとのうちいずれか一方には、ロック部材のロック孔部への挿通によりロック部材を変形させ、ロック部材をロック孔部から抜け止めさせる変形部が設けられているので、ロック部材が固定ケース及び回転ケースから抜け落ちることがなく、回転コネクタの搬送性を向上することができる。
【００１２】
従って、このような回転コネクタでは、ロック部材と固定ケース及び回転ケースとが簡易な構造であるので、低コスト化でき、汎用性を向上することができる。
【００１３】
請求項２記載の発明は、請求項１記載の回転コネクタであって、前記変形部は、前記ロック孔部の下端に突設された突起部であることを特徴とする。
【００１４】
この回転コネクタでは、変形部がロック孔部の下端に突設された突起部であるので、ロック部材のロック孔部への挿通を阻害することがなく、ロック孔部に挿通して配置されたロック部材の端部を変形させて抜け止めを行うことができる。
【００１５】
請求項３記載の発明は、請求項１又は２記載の回転コネクタであって、前記変形部は、前記回転ケースの回転軸線に向かう方向又は回転軸線から放射方向に前記ロック部材を変形させることを特徴とする。
【００１６】
この回転コネクタでは、変形部が回転ケースの回転軸線に向かう方向又は回転軸線から放射方向にロック部材を変形させるので、固定ケース及び回転ケースのいずれの回転方向に対してもロック部材の変形部分が偏ることがなく、安定して固定ケースと回転ケースとの相対回転を規制することができる。
【発明の効果】
【００１７】
本発明によれば、低コスト化でき、汎用性を向上することができる回転コネクタを提供することができるという効果を奏する。
【図面の簡単な説明】
【００１８】
【図１】本発明の実施の形態に係る回転コネクタの斜視図である。
【図２】（ａ）は本発明の実施の形態に係る回転コネクタのロック部材の斜視図である。（ｂ）は本発明の実施の形態に係る回転コネクタの要部拡大図である。
【図３】本発明の実施の形態に係る回転コネクタの要部拡大図である。
【図４】（ａ）は本発明の実施の形態に係る回転コネクタのロック部材の他例を示す斜視図である。（ｂ）は本発明の実施の形態に係る回転コネクタの他例を示す要部拡大図である。
【発明を実施するための形態】
【００１９】
図１〜図４を用いて本発明の実施の形態に係る回転コネクタについて説明する。
【００２０】
本実施の形態に係る回転コネクタ１は、円筒状の固定ケース３と、この固定ケース３に対して相対回転可能に配置された円筒状の回転ケース５と、固定ケース３と回転ケース５との径方向間に形成されたケーブル収容室７内に巻回されて収容された可撓性のケーブル（不図示）と、固定ケース３と回転ケース５との相対回転を規制するロック部材９とを備えている。
【００２１】
そして、ロック部材９は、棒状に形成され、固定ケース３と回転ケース５には、ロック部材９が挿通されて配置されるロック孔部１１，１３がそれぞれ設けられ、固定ケース３には、ロック部材９のロック孔部１１，１３への挿通によりロック部材９を変形させ、ロック部材９をロック孔部１１，１３から抜け止めさせる変形部１５が設けられている。
【００２２】
また、変形部１５は、ロック孔部１１，１３の下端に突設された突起部１７である。
【００２３】
さらに、変形部１５は、回転ケース５の回転軸線Ｌに向かう方向にロック部材９を変形させる。
【００２４】
図１〜図３に示すように、固定ケース３は、円筒状に形成された周壁を有し、ステアリングコラムなどの車体（不図示）側に固定される。この固定ケース３の周壁の内径側及び上方側には、回転ケース５が固定ケース３と相対回転可能に収容されている。
【００２５】
回転ケース５は、円筒状に形成され、ステアリングホイールなどの回転体（不図示）側に一体回転可能に固定され、内側ケース部１９と、カバー部２１とを備えている。内側ケース部１９は、固定ケース３の周壁の内径側に固定ケース３と相対回転可能に配置され、固定ケース３の周壁の内周との径方向間にケーブル収容室７を形成している。この内側ケース部１９には、カバー部２１が一体回転可能に固定されている。
【００２６】
カバー部２１は、ケーブル収容室７の上面を閉塞するように固定ケース３の周壁の上方側に固定ケース３と相対回転可能に配置されている。このカバー部２１によって閉塞されるケーブル収容室７内には、複数（ここでは２本）のケーブル（不図示）が収容されている。
【００２７】
ケーブルは、可撓性を有する絶縁性シート上に複数の導体を配設して帯状に形成されたフラットケーブルからなる。このケーブルは、一端が固定ケース３の周壁に固定されて車体側の回路に導通され、他端が回転ケース５に固定されて２本の電線２３を介して回転体側の回路に導通される。なお、２本の電線２３のうち一方の電線２３は、例えば、エアバッグの回路に接続され、他方の電線２３は、一般回路に接続される。
【００２８】
このようなケーブルは、例えば、ケーブル収容室７内に設けられたガイド部材などによって、固定ケース３の周壁の内周と回転ケース５の内側ケース部１９の外周に逆向きに巻回されるように反転部が形成されてケーブル収容室７内に収容されている。
【００２９】
このように構成された回転コネクタ１は、車両に取り付ける前の状態で、固定ケース３と回転ケース５とが相対回転し、ケーブル収容室７内に収容されたケーブルに巻き締めや巻き戻しが発生してしまう。このため、回転コネクタ１には、車両に取り付ける前の状態で、固定ケース３と回転ケース５との相対回転を規制するロック部材９が組付けられる。
【００３０】
ロック部材９は、熱可塑性樹脂などからなり、棒状に形成されている。このため、複雑な形状の金型を用いる必要がなく、金型費用を削減することができる。加えて、ロック部材９の形状を単なる棒とするならば、ランナーを活用することができる。このロック部材９は、固定ケース３と回転ケース５とにそれぞれ設けられたロック孔部１１，１３に挿通される。
【００３１】
ロック孔部１１，１３は、固定ケース３と回転ケース５のカバー部２１との同一箇所に連通するようにそれぞれ設けられている。このロック孔部１１，１３の下端が位置する固定ケース３には、ロック部材９を変形させる変形部１５が設けられている。
【００３２】
変形部１５は、固定ケース３のロック孔部１１の下端に突設された突起部１７となっている。また、突起部１７は、回転ケース５の回転軸線Ｌに向かう方向に突出されている。この変形部１５は、ロック孔部１１，１３に挿通されたロック部材９の端部を、図２（ｂ）の矢印で示すように、固定ケース３の内方側（回転軸線Ｌ側）に向けて折り曲げるように変形させる。このロック部材９の変形により、ロック部材９のロック孔部１１，１３からの抜け止めがなされ、搬送時などにロック部材９がロック孔部１１，１３から抜け落ちることがない。
【００３３】
ここで、例えば、図４に示すように、変形部１５である突起部１７に係合する切欠部２５をロック部材９に設けてもよい。この切欠部２５は、ロック部材９がロック孔部１１，１３に挿通されることにより、突起部１７に係合される。この切欠部２５と突起部１７とが係合することにより、ロック部材９のロック孔部１１，１３からの抜け止めを行うことができる。
【００３４】
なお、ロック部材９を取り外す場合には、ロック部材９をロック孔部１１，１３の上方から強制的に引き抜くことにより、変形部１５によるロック部材９の変形が解除され、ロック部材９をロック孔部１１，１３から引き抜くことができる。
【００３５】
このような回転コネクタ１では、ロック部材９が棒状に形成され、固定ケース３と回転ケース５にロック部材９が挿通されて配置されるロック孔部１１，１３がそれぞれ設けられているので、ロック部材９と固定ケース３及び回転ケース５とを簡易な構造とすることができ、低コスト化することができる。加えて、ロック部材９の形状は、簡易化されているので、汎用性を向上することができる。
【００３６】
また、固定ケース３には、ロック部材９のロック孔部１１，１３への挿通によりロック部材９を変形させ、ロック部材９をロック孔部１１，１３から抜け止めさせる変形部１５が設けられているので、ロック部材９が固定ケース３及び回転ケース５から抜け落ちることがなく、回転コネクタ１の搬送性を向上することができる。
【００３７】
従って、このような回転コネクタ１では、ロック部材９と固定ケース３及び回転ケース５とが簡易な構造であるので、低コスト化でき、汎用性を向上することができる。
【００３８】
また、変形部１５は、ロック孔部１１，１３の下端に突設された突起部１７であるので、ロック部材９のロック孔部１１，１３への挿通を阻害することがなく、ロック孔部１１，１３に挿通して配置されたロック部材９の端部を変形させて抜け止めを行うことができる。
【００３９】
さらに、変形部１５は、回転ケース５の回転軸線Ｌに向かう方向にロック部材９を変形させるので、固定ケース３及び回転ケース５のいずれの回転方向に対してもロック部材９の変形部分が偏ることがなく、安定して固定ケース３と回転ケース５との相対回転を規制することができる。
【００４０】
なお、本発明の実施の形態に係る回転コネクタでは、変形部が固定ケースに設けられているが、ロック部材の挿入方向の下流側に位置するケースが回転ケースである場合には回転ケースに変形部を設けるなど、変形部を設けるケースは適宜選択すればよい。
【００４１】
また、変形部は、回転ケースの回転軸線に向けて突設された突起部となっているが、これに限らず、回転ケースの回転軸線に向けて傾斜された傾斜部などであってもよい。加えて、ロック部材を変形させる方向は、回転ケースの回転軸線に向けた方向が好適であるが、回転軸線から放射方向であってもよい。
【符号の説明】
【００４２】
１…回転コネクタ
３…固定ケース
５…回転ケース
７…ケーブル収容室
９…ロック部材
１１，１３…ロック孔部
１５…変形部
１７…突起部
Ｌ…回転軸線
【図１】
2014017078.tif 000003
【図２】
2014017078.tif 000004
【図３】
2014017078.tif 000005
【図４】
2014017078.tif 000006